(57)【要約】【課題】ストローク方向に対してフェース面が傾いていた場合でも、ストローク方向と同方向にボールを打ち出すことが可能なパターヘッドを提供する。【解決手段】パターヘッド１０は、金属製のヘッド本体１２を備える。ヘッド本体１２には、ゴルフボール２８が当接されるフェース面２０が形成されている。フェース面２０には、複数の突起２２がヘッド本体１２と一体に形成されている。複数の突起２２は、略正四角錐形状に形成されており、水平方向２５及び鉛直方向に連続して隙間無く配置されている。【選択図】図１
2010125262.tif 000002
【特許請求の範囲】
【請求項１】
金属製のヘッド本体と一体に形成され、ゴルフボールに当接されるフェース面から外方へ向けて突出する錐体形状の複数の突起が上記フェース面に一定の間隔で配置されているパターヘッド。
【請求項２】
上記突起は、四角錐体形状もしくは三角錐体形状に形成されている請求項１に記載のパターヘッド。
【請求項３】
上記複数の突起は、上記ヘッド本体の上記フェース面をミル加工することによって形成される請求項２に記載のパターヘッド。
【請求項４】
上記複数の突起は、３．０ｍｍ〜５．０ｍｍの範囲から選択された間隔で、水平方向及び鉛直方向に配置されている請求項１から３のいずれかに記載のパターヘッド。
【請求項５】
上記複数の突起の突出寸法は、０．２ｍｍ〜０．５ｍｍの範囲から選択された寸法に設定されている請求項１から４のいずれかに記載のパターヘッド。
【発明の詳細な説明】
【技術分野】
【０００１】
本発明は、ゴルフで使用されるパターのパターヘッドに関し、詳細には、金属製のヘッド本体を備えたパターヘッドに関する。
【背景技術】
【０００２】
パターはゴルフの際に使用されるゴルフクラブの一種であり、主にグリーン上で使用される。パターは、パターシャフトとパターヘッドとグリップとを備え、パターシャフトの一端にグリップが取り付けられ、他端にパターヘッドが取り付けられている。ゴルファーは、パターをストロークして、パターヘッドのフェース面をゴルフボールにヒットさせることにより、狙った方向へゴルフボールを転がす。ゴルフボールは、フェース面にヒットしたときに当該フェース面から力を受けて、当該力の向きと同じ方向へ打ち出される。
【０００３】
従来のパターヘッドのフェース面は平面である。したがって、ゴルフボールに対してフェース面が点で当たる。そのため、ゴルフボールの打ち出し方向が安定しないという問題があった。ゴルフボールの方向性を改善すること目的として、各特許文献１乃至３に記載されているように、フェース面に複数の突起が設けられたパターヘッドが提案されている。
【０００４】
【特許文献１】特開２００２−８５６０６号公報
【特許文献２】特開２００１−２９３１１６号公報
【特許文献３】特表２００１−５１３６９１号公報
【発明の開示】
【発明が解決しようとする課題】
【０００５】
しかしながら、フェース面が平面の従来のパターヘッドでは、ゴルファーが狙った方向と同方向に当該パターヘッドがストロークされても、ストローク方向に対してフェース面が垂直になっていない場合、つまり、ストローク方向に対してフェース面が傾いている場合は、フェース面にヒットしたゴルフボールはゴルファーが意図する方向へ転がらないという問題がある。上述の各特許文献に記載のパターヘッドであっても、ストローク方向に対してフェース面が傾いた状態でゴルフボールにフェース面がヒットしたような想定外のケースでは、ゴルフボールの方向性は十分に改善されない。
【０００６】
そこで、本発明は上記問題に鑑みてなされたものであり、その目的とするところは、ストローク方向に対してフェース面が傾いていた場合でも、ストローク方向と同方向にボールを打ち出すことが可能なパターヘッドを提供することにある。
【課題を解決するための手段】
【０００７】
(1)  上記目的が達成されるため、本発明に係るパターヘッドは、金属製のヘッド本体と一体に形成された錐体形状の複数の突起を備える。複数の突起は、ゴルフボールに当接されるフェース面に一定の間隔で配置されている。これら複数の突起は、フェース面から外方へ向けて突出している。
【０００８】
この構成によれば、パターヘッドのストローク方向に対して傾いた状態でフェース面がゴルフボールにヒットすると、まず、或る１つの突起（以下「第１突起」という。）の頂部が真っ先にゴルフボールの表面に当たる。このとき、第１突起から受けた力によってゴルフボールは所定方向（ゴルファーが意図した方向と異なる方向）へ飛び出す。ゴルフボールの表面は衝撃により弾性変形するため、非常に短い時間ではあるが、ストローク中であっても最初に当たった第１突起の頂部がゴルフボールの表面に接触した状態を維持する。第１突起の頂部がゴルフボールの表面に当たった次の瞬間に、隣接する別の突起（以下「第２突起」という。）の頂部がゴルフボールの表面に当たる。つまり、第１突起の頂部がゴルフボールの表面に接触したままの状態で、隣接する別の第２突起の頂部がゴルフボールの表面に当接する。このとき、ゴルフボールは、第２突起から力を受けて上記所定方向を修正する方向へ飛び出そうとする。このように、複数の突起によって打ち出されたゴルフボールは、ストローク方向と概ね同じ方向（ゴルファーが意図する方向）へ転がる。
【０００９】
(2)  上記突起は、四角錐体形状もしくは三角錐体形状に形成されていることが好ましい。
【００１０】
(3)  上記複数の突起は、上記ヘッド本体の上記フェース面をミル加工することによって形成される。
【００１１】
これにより、フェース面に複数の突起が容易に形成され得る。
【００１２】
(4)  上記複数の突起は、３．０ｍｍ〜５．０ｍｍの範囲から選択された間隔で、水平方向及び鉛直方向に配置されていることが好ましい。
【００１３】
(5)  上記複数の突起の突出寸法は、０．２ｍｍ〜０．５ｍｍの範囲から選択された寸法に設定されていることが好ましい。
【発明の効果】
【００１４】
本発明のパターヘッドによれば、ストローク方向に対してフェース面が傾いた状態でフェース面がゴルフボールにヒットした場合でも、ストローク方向と同方向にボールを打ち出すことが可能になる。
【発明を実施するための最良の形態】
【００１５】
以下、適宜図面が参照されつつ、好ましい実施形態に基づいて本発明が詳細に説明される。なお、以下の実施形態は本発明が具体化された一例にすぎず、本発明の要旨を変更しない範囲で、実施形態が適宜変更され得ることは勿論である。
【００１６】
図１は、本発明の実施形態に係るパターヘッド１０の斜視図である。図２は、パターヘッド１０の正面図である。図３は、図２における切断線III−IIIの断面図である。図４及び図５は、パターヘッド１０でゴルフボールがヒットされた瞬間を上方から見たときの略図である。図６は、本発明の変形例に係るパターヘッド６０の正面図である。
【００１７】
パターヘッド１０は、ゴルフクラブの一種であるパターを構成するものであり、図示しないシャフトの一端に取り付けられる。このパターヘッド１０は、図１に示されるように、ヘッド本体１２と、シャフト固定部１４とを備える。
【００１８】
ヘッド本体１２は、軟鋼、合金鋼、ステンレス鋼などのように、硬質な金属材料を鍛造、鋳造、切削など加工することによって形成される。ヘッド本体１２のヒール部１６にシャフト固定部１４が一体に設けられており、このシャフト固定部１４に図示しないシャフトの一端が取り付けられる。
【００１９】
ヘッド本体１２は、トウ部１５及びヒール部１６のそれぞれに重量が多く配分された所謂ピンタイプのものである。ヘッド本体１２は、トウ部１５からヒール部１６に渡って長い直方体形状に形成されている。図２に示されるように、ヘッド本体１２のソール面１８は、長手方向の中央部が下方へ膨出する緩やかな円弧形状となっている。なお、ヘッド本体１２は、ピンタイプに限られず、マレットタイプやＬ字タイプのものが採用され得る。
【００２０】
ヘッド本体１２の前面が、ゴルフボールをヒットするためのフェース面２０である。フェース面２０は、図３に示されるように、ソール面１８に対して約３度のロフト角となるように形成されている。
【００２１】
フェース面２０には、複数の突起２２が形成されている。なお、図１では、突起２２が部分的に示されている。それぞれの突起２２は、同形状に形成されている。具体的には、それぞれの突起２２は、一辺が３．０ｍｍの正方形を底面とする略正四角錐形状に形成されている。それぞれの突起２２は、正四角錐の頂部がフェース面２０から外方へ向くように突出している。
【００２２】
複数の突起２２は、図３に示されるように、突起２２の底面における一対の辺が水平方向２５に一致するように配置されている。それぞれの突起２２は、水平方向に３．０ｍｍの間隔で配置されており、鉛直方向２６に３．０ｍｍの間隔で配置されている。したがって、フェース面２０において、複数の突起２２は隙間を空けることなく密に配置されている。なお、突起２２の底面の辺寸法、及び突起２２の配置間隔は、３．０ｍｍに限られず、３．０ｍｍ〜５．０ｍｍの範囲内で選択可能である。
【００２３】
また、それぞれの突起２２の突出高さ（突出寸法）ｈ（図２参照）は一様に設定されている。具体的には、それぞれの突起２２の突出高さｈは、フェース面２０から０．２ｍｍに設定されている。なお、突起２２の突出高さｈは、０．２ｍｍ〜０．５ｍｍの範囲内で選択可能である。
【００２４】
本実施形態では、複数の突起２２は、先端が球状に形成されたボールエンドミルでフェース面２０を切削加工することにより形成可能である。具体的には、先端の直径が３ｍｍのボールエンドミルを用いて、以下の２工程のミル加工が行われることによって、複数の突起２２がフェース面２０に形成される。その第１工程は、上記ボールエンドミルを水平方向２５へ走らせてフェース面２０を切削加工し、この加工を鉛直方向２６へ３．０ｍｍ間隔ごとに繰り返し行う工程である。その第２工程は、上記ボールエンドミルを鉛直方向２６へ走らせてフェース面２０を切削加工し、この加工を水平方向２５へ３．０ｍｍ間隔ごとに繰り返し行う工程である。この２工程が行われることにより、フェース面２０に略正四角錐形状の複数の突起２２が形成される。
【００２５】
以下、図４及び図５が参照されて、上述の如く構成されたパターヘッド１０のフェース面２０がゴルフボール２８にヒットしたときに、ゴルフボール２８に作用する力関係とゴルフボール２８が打ち出される方向について説明される。なお、図４及び図５では、説明の便宜上、ストローク方向３２に対してフェース面２０が極端に傾いた状態が示されているが、実際のプレー中において、フェース面２０がこれほど傾くことはない。
【００２６】
図４に示されるように、ストローク方向３２に対してフェース面２０が傾いた状態で当該フェース面２０がゴルフボール２８にヒットした場合について考察する。この場合、或る１つの突起２２Ａの頂部が真っ先にゴルフボール２８の表面に当たる。このとき、図４（Ａ）に示されるように、突起２２Ａの打点３６がゴルフボール２８の中心２９よりもヒール部１６側（図４の下側）にずれていると仮定する。この場合、打点３６と中心２９とを結ぶ仮想線４０とストローク方向３２とのなす角をθ１とすると、打点３６において突起２２Ａから受けたストローク方向３２の力Ｆ０は、中心２９の方向の力Ｆ１（＝Ｆ０ｃｏｓθ１）の成分と、仮想線４０に垂直であってゴルフボール２８を時計方向４３へ回転させる力Ｆ２（＝Ｆ０ｃｏｓθ１）の成分に分かれて、それぞれの力Ｆ１，Ｆ２がゴルフボール２８に作用する。
【００２７】
ゴルフボール２８は、力Ｆ１が作用することによって、ストローク方向３２に対して角度θ１だけトウ部１５側（図４の上側）へ傾いた方向４７へ飛び出そうとする。一方、力Ｆ２が作用することによって、打点３６においてゴルフボール２８に回転トルクＮ１（＝ＲＦ２）が生じ、これにより、ゴルフボール２８は、時計方向４３へスピンしようとする。
【００２８】
なお、ゴルフボール２８の表面は衝撃に対して弾性を有する。したがって、突起２２Ａの頂部がゴルフボール２８に当たると、表面が弾性変形する。このため、ゴルフボール２８は直ぐに突起２２から離れることはなく、非常に短い時間ではあるが、ストローク中において、突起２２Ａの頂部がゴルフボール２８の表面に接触した状態を維持する。
【００２９】
ゴルフボール２８に対して更にフェース面２０がストローク方向３２へ押し付けられると、ゴルフボール２８の表面が突起２２Ａによって撓まされ、しかも、ゴルフボール２８が時計方向４３へスピンするため、図５（Ａ）に示されるように、隣接する突起２２Ｂの頂部がゴルフボール２８の表面に当たる。この瞬間においては、突起２２Ａ及び突起２２Ｂのそれぞれがゴルフボール２８の表面に接触した状態となる。このとき、突起２２Ｂの打点３７は、図５（Ａ）に示されるように、ゴルフボール２８の中心２９よりもトウ部１５側（図５の上側）にずれた位置となる。この場合、打点３７と中心２９とを結ぶ仮想線４１とストローク方向３２とのなす角をθ２とすると、打点３７において突起２２Ｂから受けたストローク方向３２の力Ｆ０は、中心２９の方向の力Ｆ３（＝Ｆ０ｃｏｓθ２）の成分と、仮想線４１に垂直であってゴルフボール２８を反時計方向４４へ回転させる力Ｆ４（＝Ｆ０ｃｏｓθ２）の成分に分かれて、それぞれの力Ｆ３，Ｆ４がゴルフボール２８に作用する。
【００３０】
ゴルフボール２８は、力Ｆ３が作用することによって、ストローク方向３２に対して角度θ２だけヒール部１６側（図５の下側）へ傾いた方向４８へ飛び出そうとする。しかしながら、ゴルフボール２８には、上述した方向４７の力Ｆ１が作用しているため、力Ｆ３及び力Ｆ１のそれぞれのストローク方向３２に垂直な成分が打ち消される。このため、ゴルフボール２８は、ストローク方向３２とほぼ同じ方向３４へ真っ直ぐに打ち出されることになる。また、力Ｆ４が作用することによって、打点３７においてゴルフボール２８に回転トルクＮ２（＝ＲＦ４）が生じ、これにより、ゴルフボール２８は、反時計方向４４へスピンしようとする。しかしながら、ゴルフボール２８には、上述した時計方向４３の回転トルクＮ１が作用しているため、回転トルクが打ち消し合う。そのため、ゴルフボール２８はほとんどスピンすることなく、真っ直ぐに打ち出される。
【００３１】
なお、上述の実施形態では、フェース面２０に略正四角錐形状の突起２２が形成された例について説明されたが、例えば、図６に示される本発明の変形例のように、フェース面２０に略正三角錐形状の複数の突起６２が形成されたパターヘッド６０として本発明が実現されていてもよい。この突起６２は、上述した突起２２と同じ高さを有しており、フェース面２２に隙間無く密に配置されている。
【００３２】
複数の突起６２は、先端が球状に形成されたボールエンドミルでフェース面２０を切削加工することにより形成可能である。具体的には、以下の３工程のミル加工が行われることによって、複数の突起６２がフェース面２０に形成される。その第１工程は、上記ボールエンドミルを水平方向２５へ走らせてフェース面２０を切削加工し、この加工を鉛直方向２６へ一定間隔ごとに繰り返し行う工程である。その第２工程は、上記ボールエンドミルを鉛直方向２６に対して３０度ヒール部１６側へ傾いた方向へ走らせてフェース面２０を切削加工し、この加工を水平方向２５へ一定間隔ごとに繰り返し行う工程である。その第３工程は、上記ボールエンドミルを鉛直方向２６に対して３０度トウ部１５側へ傾いた方向へ走らせてフェース面２０を切削加工し、この加工を水平方向２５へ一定間隔ごとに繰り返し行う工程である。これにより、フェース面２０に略正三角錐形状の複数の突起６２が形成される。
【００３３】
なお、上記実施形態及びその変形例では、略正四角錐形状の突起２２あるいは略正三角錐形状の突起６２がフェース面２０に複数形成された例について説明されたが、フェース２０に形成される突起は略正四角錐形状や略正三角錐形状のものに限られず、多角錐形状や円錐などのように、錐体形状を有するものであればよい。
【図面の簡単な説明】
【００３４】
【図１】図１は、本発明の実施形態に係るパターヘッド１０の斜視図である。
【図２】図２は、パターヘッド１０の正面図である。
【図３】図３は、図２における切断線III−IIIの断面図である。
【図４】図４、パターヘッド１０でゴルフボールがヒットされた瞬間を上方から見たときの略図である。
【図５】図５は、パターヘッド１０でゴルフボールをインパクトする瞬間を上方から見たときの略図である。
【図６】図６は、本発明の変形例に係るパターヘッド６０の正面図である。
【符号の説明】
【００３５】
１０・・・パターヘッド
１２・・・ヘッド本体
１４・・・シャフト固定部
１５・・・トウ部
１６・・・ヒール部
１８・・・ソール面
２０・・・フェース面
２２・・・突起
２８・・・ゴルフボール
６０・・・パターヘッド
６２・・・突起
【図１】
2010125262.tif 000003
【図２】
2010125262.tif 000004
【図３】
2010125262.tif 000005
【図４】
2010125262.tif 000006
【図５】
2010125262.tif 000007
【図６】
2010125262.tif 000008